(57)【要約】【課題】  充電ケーブル等を太いケーブルを巻き取るに適したケーブル用収容装置を提供する。【解決手段】  巻取側ケーブルの巻始部３Ｆが挿入されるガイド溝２９Ａを、巻取リム２７の円周方向に沿うように延び、かつ、少なくとも一部の溝幅Ｗが巻取側ケーブルの外径寸法より小さい溝とする。これにより、巻取リム２７の円周方向に沿うように延びるガイド溝２９Ａに嵌り込んだ状態で巻取側ケーブルが固定されることとなる。したがって、巻取側ケーブル３Ｃを大きく屈曲させることなく固定することができるので、太いケーブルを巻き取るに適したケーブル用収容装置を得ることができる。【選択図】図５
2013162610.tif 000002
【特許請求の範囲】
【請求項１】
ケーブルが巻き取られる巻取部を有する回転ドラムと、
前記ケーブルの巻始部が挿入される溝であって、前記巻取部の円周方向に沿うように延びるとともに、少なくとも一部の溝幅が前記ケーブルの外径寸法より小さいガイド溝と
を備えることを特徴とするケーブル用収容装置。
【請求項２】
前記ガイド溝は、その延び方向一端側と他端側とが、前記回転ドラムの軸方向と平行な方向にずれるように、前記円周方向に沿って延びていることを特徴とする請求項１に記載のケーブル用収容装置。
【請求項３】
前記巻取部には、大径部及びこの大径部より直径が小さい小径部が軸方向に並んで設けられており、
さらに、前記ガイド溝は、前記小径部に連通していること特徴とする請求項１又は２に記載のケーブル用収容装置。
【請求項４】
前記回転ドラムの軸方向一端側には、径方向外側に突出した鍔状のフランジ部が設けられており、
さらに、前記ガイド溝は、前記巻取部の外側から前記フランジ部を貫通して当該巻取部の内側まで延びていることを特徴とする請求項１ないし３のいずれか１項に記載のケーブル用収容装置。
【請求項５】
前記フランジ部のうち前記巻取部側には、前記回転ドラムの軸方向と直交する方向に対して傾いた傾斜面が設けられており、
さらに、前記傾斜面は、径方向外側に向かうほど軸方向他端側から離間するように傾斜していることを特徴とする請求項４に記載のケーブル用収容装置。
【発明の詳細な説明】
【技術分野】
【０００１】
本発明は、ケーブルを巻き取るための回転ドラムを備えるケーブル用収容装置に関するものである。
【背景技術】
【０００２】
ケーブルを回転ドラムで巻き取るためには、ケーブルの巻始部を回転ドラムに固定する必要がある。
そして、例えば、特許文献１に記載の発明では、互いに離隔した一対の突部からなる凹部と、１つの突部からなる凸部とでケーブルを挟むようにしてケーブルを固定している。
【先行技術文献】
【特許文献】
【０００３】
【特許文献１】特許第３６１８１７２号明細書
【発明の概要】
【発明が解決しようとする課題】
【０００４】
しかし、特許文献１に記載の発明は、ケーブルの直径が比較的大きく、かつ、許容される最小の屈曲半径が比較的大きいケーブルを固定するための構造としては不適切である。
つまり、特許文献１に記載の発明は、照明用の電線等の直径が比較的小さく、大きな可撓性を有するケーブルを固定するための技術であって、例えば電動車両用の充電ケーブル等の太いケーブルを固定するための構造としては不適切である。
【０００５】
本発明は、上記点に鑑み、充電ケーブル等を太いケーブルを巻き取るに適したケーブル用収容装置を提供することを目的とする。
【課題を解決するための手段】
【０００６】
本発明は、上記目的を達成するために、ケーブル（３Ｃ）が巻き取られる巻取部（２７）を有する回転ドラム（２３）と、ケーブル（３Ｃ）の巻始部（３Ｆ）が挿入される溝であって、巻取部（２７）の円周方向に沿うように延びるとともに、少なくとも一部の溝幅（Ｗ）がケーブル（３Ｃ）の外径寸法より小さいガイド溝（２９Ａ）とを備えることを特徴とする。
【０００７】
これにより、本発明では、巻取部（２７）の円周方向に沿うように延びるガイド溝（２９Ａ）に嵌り込んだ状態でケーブル（３Ｃ）が固定されることとなる。したがって、ケーブル（３Ｃ）を大きく屈曲させることなく固定することができるので、太いケーブルを巻き取るに適したケーブル用収容装置を得ることができる。
【０００８】
因みに、上記各手段等の括弧内の符号は、後述する実施形態に記載の具体的手段等との対応関係を示す一例であり、本発明は上記各手段等の括弧内の符号に示された具体的手等に限定されるものではない。
【図面の簡単な説明】
【０００９】
【図１】本発明の第１実施形態に係る充電ケーブル用収容装置のホルダ１０及びリール２０の斜視図である。
【図２】本発明の第１実施形態に係るリール２０の後面側斜視図である。
【図３】本発明の第１実施形態に係るリール２０の前面側斜視図である
【図４】本発明の第１実施形態に係る回転ドラム２３の側面図である。
【図５】（ａ）本発明の第１実施形態に係る回転ドラム２３の斜視図の一部であり、（ｂ）は本発明の第１実施形態に係る回転ドラム２３の正面図の一部である。
【図６】本発明の第１実施形態に係る回転ドラム２３の斜視図である。
【図７】本発明の第１実施形態に係るガイド溝２９Ａ周囲のみを断面とした回転ドラム２３の斜視図である。
【図８】本発明の第１実施形態に係る回転ドラム２３の効果を説明するための比較対象図である。
【図９】本発明の第１実施形態に係る回転ドラム２３の効果を説明するための比較対象図である。
【図１０】本発明の第１実施形態に係る回転ドラム２３の効果を説明するための図である。
【図１１】本発明の第２実施形態に係る回転ドラム２３の正面図である。
【図１２】本発明の第２実施形態に係るガイド溝２９Ａ周囲のみを断面とした回転ドラム２３の斜視図である。
【図１３】本発明の第２実施形態に係る回転ドラム２３の側面図である。
【発明を実施するための形態】
【００１０】
以下に説明する「発明の実施形態」は実施形態の一例を示すものである。つまり、特許請求の範囲に記載された発明特定事項等は、下記の実施形態に示された具体的手段や構造等に限定されるものではない。
【００１１】
そして、本実施形態は、プラグ・イン・ハイブリッド自動車等の電動車両用の充電ケーブル用収容装置に本発明を適用したものである。以下、本発明の実施形態を図面と共に説明する。
【００１２】
（第１実施形態）
１．充電ケーブル用収容装置の構成
１．１．充電ケーブル用収容装置の概要
本実施形態に係る充電ケーブル用収容装置１は、図１に示すように、ホルダ１０及びリール２０等を有して構成されている。リール２０は、ホルダ１０に対して着脱可能である。そして、電動車両に充電を行う際には、原則として、リール２０をホルダ１０に装着して行う。
【００１３】
１．２．ホルダの構成
ホルダ１０には、充電用電源（図示せず。）側と電気的に接続されるホルダ側コネクタ１１が設けられている。なお、ホルダ側コネクタ１１は、ホルダ１０の略中央に回転可能に配置されている。
【００１４】
そして、ホルダ側コネクタ１１は、ホルダ１０内に設けられたスリップリング（図示せず。）等の摺動接点を介して電源側ケーブル（図示せず。）に電気的に接続されている。このため、ホルダ側コネクタ１１は、電源側ケーブルとの導通を確保したまま、ホルダ１０に対して回転できる。
【００１５】
なお、電源側ケーブルは、充電用電源とホルダ側コネクタ１１を電気的に接続するためのケーブルである。そして、電源側ケーブルは、スリップリングの固定側ブラシ（図示せず。）に接続されている。一方、スリップリングの回転側電極リング（図示せず。）は、ホルダ側コネクタ１１に接続されている。
【００１６】
ホルダ１０の上端側及び下端側には、リール２０をホルダ１０に対して固定するためのリール固定部１０Ａ、１０Ｂが設けられている。下端側のリール固定部１０Ａは、リール２０の下端側を支持する支持部である。
【００１７】
一方、上端側のリール固定部１０Ｂは、リール２０の上端側と係合してリール２０を保持するフック部である。なお、以下、下端側のリール固定部１０Ａを支持部１０Ａと呼び、上端側のリール固定部１０Ｂをフック部１０Ｂと呼ぶ。
【００１８】
支持部１０Ａは、ホルダ１０からリール２０側に突出するとともに、突出側に凹部が設けられた腕部１０Ｃにより構成されている。フック部１０Ｂは、ホルダ１０からリール２０側に突出するとともに、突出側に突起部１０Ｄが設けられた鉤状の部材である。
【００１９】
一方、リール２０のバックプレート２１には、図２に示すように、支持部１０Ａの凹部と嵌合するように係合する凹部２１Ａ、及びフック部１０Ｂが嵌り込む穴状の係合部２１Ｂが設けられている。
【００２０】
そして、各係合部２１Ｂ内には、突起部１０Ｄと係合する係合突起部２１Ｃが設けられている、これらの係合突起部２１Ｃは、図示しないばねにより突起部１０Ｄと係合可能な位置に押圧されている。
【００２１】
なお、リール２０をホルダ１０に装着する際には、支持部１０Ａにリール２０の凹部２１Ａを嵌め込んだ状態で、支持部１０Ａ側を支点としてリール２０をホルダ１０側に揺動させる。これにより、フック部１０Ｂが係合部２１Ｂ内に嵌り込むと同時に、リール２０側の係合突起部２１Ｃとホルダ１０側の突起部１０Ｄとが係合し、リール２０がホルダ１０に固定される。
【００２２】
また、リール２０をホルダ１０から取り外す際には、リール２０（バックプレート２１）の把持部２１Ｅに設けられた解除ボタン２１Ｄを操作して係合突起部２１Ｃと突起部１０Ｄとの係合を解除した状態で、支持部１０Ａ側を支点としてリール２０をホルダ１０から離隔させるように揺動させればよい。
【００２３】
１．３．リールの構成
リール２０は、図３に示すように、充電ケーブル３を巻き取る回転ドラム２３、及び回転ドラム２３を回転可能に支持するバックプレート２１等を有して構成されている。回転ドラム２３は、図４に示すように、円盤状のドラムプレート２５、環状に形成された巻取リム２７、及び鍔状のフランジ部２９等を有して構成されている。なお、回転ドラム２３の詳細は後述する。
【００２４】
フランジ部２９には、図３に示すように、充電制御ボックス３Ａが着脱自在に固定される固定部３１が設けられている。なお、充電制御ボックス３Ａとは、ＣＣＩＤ（Charge Circuit Interrupt Device）等の充電制御を行う制御回路が組み込まれたものであって、充電側電源と電動車両とを接続する電気回路に設けられる。
【００２５】
このため、多くの場合、充電制御ボックス３Ａは、充電ケーブル３の一部として車両メーカ等から供給される。そこで、以下、充電ケーブル３のうち充電制御ボックス３Ａより充電電源側を端末側ケーブル３Ｂと呼び、充電ケーブル３のうち充電制御ボックス３Ａより電動車両側を巻取側ケーブル３Ｃと呼ぶ。つまり、本実施形態では、巻取部をなす巻取リム２７に巻き取られるケーブルとは、充電ケーブル３のうち巻取側ケーブル３Ｃを意味する。
【００２６】
そして、端末側ケーブル３Ｂの端末部には、電源側に接続するための端末コネクタ３Ｄが設けられている。一方、巻取側ケーブル３Ｃの端末には、電動車に接続するための車両側コネクタ３Ｅ（図２参照）が設けられている。つまり、本実施形態に係る充電ケーブル３は、充電制御ボックス３Ａ、端末側ケーブル３Ｂ、巻取側ケーブル３Ｃ、端末コネクタ３Ｄ及び車両側コネクタ３Ｅ等を有して構成されている。
【００２７】
なお、バックプレート２１には、巻取側ケーブル３Ｃの端末側に係止する係止フック部２１Ｇが設けられている。このため、巻取側ケーブル３Ｃの端末側が係止フック部２１Ｇに係止された状態では、回転ドラム２３が回転しても、巻取リム２７に巻き取られた巻取側ケーブル３Ｃが大きく緩むことはない。
【００２８】
回転ドラム２３のうち固定部３１側には、端末コネクタ３Ｄが装着可能なケーブル側コネクタ３３が設けられている。一方、回転ドラム２３のうちホルダ１０側には、図２に示すように、ホルダ側コネクタ１１と嵌合可能であって、ケーブル側コネクタ３３に電気的に接続されたリール側コネクタ３２が設けられている。
【００２９】
このため、端末コネクタ３Ｄがケーブル側コネクタ３３に装着された状態で、ホルダ側コネクタ１１とリール側コネクタ３２とが嵌合すると、充電ケーブル３と電源側ケーブルとが導通可能となる。
【００３０】
そして、回転ドラム２３に巻き取られている巻取側ケーブル３Ｃが引き出されると、回転ドラム２３の回転に連動してホルダ側コネクタ１１及びリール側コネクタ３２が回転するものの、上記のスリップリングにより、充電ケーブル３と電源側ケーブルとの導通状態が維持される。
【００３１】
１．４  回転ドラムの詳細構造
回転ドラム２３は、図４に示すように、軸方向Ｌ１と直交する方向から見て、ボビン状に構成されている。具体的には、巻取側ケーブル３Ｃが巻かれていく巻取リム２７を挟んで軸方向Ｌ１の一端側にフランジ部２９が配設され、軸方向Ｌ１の他端側にドラムプレート２５が配設されている。そして、フランジ部２９及びドラムプレート２５の外縁部は、巻取リム２７より径方向外側に突出している。
【００３２】
巻取リム２７の外周には、大径部２７Ａ及び小径部２７Ｂが軸方向に連続して並んで設けられている。小径部２７Ｂは、大径部２７Ａより直径が小さい。そして、小径部２７Ｂはドラムプレート２５と共に樹脂にて一体成形されている。
【００３３】
一方、大径部２７Ａは、フランジ部２９と共に樹脂にて一体成形されている。そして、大径部２７Ａに小径部２７Ｂを嵌め込むようにして両者を組付固定することにより、回転ドラム２３が構成されている。
【００３４】
巻取リム２７に巻き取られる巻取側ケーブル３Ｃは、図３に示すように、巻取リム２７の外側に固定された充電制御ボックス３Ａから巻取リム２７に引き込まれている。つまり、巻取側ケーブル３Ｃの巻始部３Ｆは、巻取リム２７の外側からフランジ部２９を貫通して巻取リム２７の内側に到達している。
【００３５】
なお、「巻取リム２７の外側」とは、軸方向Ｌ１においてフランジ部２９を挟んで巻取リム２７と反対側を意味している。「巻取リム２７の内側」とは、フランジ部２９とドラムプレート２５との間、つまり巻取側ケーブル３Ｃが巻かれていく部位を意味している。
【００３６】
このため、フランジ部２９には、図５に示すように、巻始部３Ｆを巻取リム２７の外側から内側に導くガイド溝２９Ａが設けられている。ガイド溝２９Ａは、巻始部３Ｆが挿入される溝であって、巻取リム２７の円周方向に沿うように延び、かつ、少なくとも一部の溝幅Ｗが巻取側ケーブル３Ｃの外径寸法より小さい寸法に設定されている。
【００３７】
なお、本実施形態に係るガイド溝２９Ａは、巻取リム２７の外側に向けて開口し、かつ、溝幅Ｗを一定として始端部２９Ｂから終端部２９Ｃまで延びている。因みに、本実施形態では、溝幅Ｗは、巻取側ケーブル３Ｃの外径寸法の０．９３倍以上、０．９８倍以下に設定されている。
【００３８】
また、ガイド溝２９Ａは、図４に示すように、始端部２９Ｂと終端部２９Ｃとが、軸方向Ｌ１と平行な方向にずれるように、円周方向に沿って延びている。つまり、ガイド溝２９Ａは、始端部２９Ｂから終端部２９Ｃに掛けて螺旋状に形成された螺旋溝となっている。そして、ガイド溝２９Ａは、図６に示すように、巻取リム２７の外側から小径部２７Ｂに連通している。
【００３９】
このため、大径部２７Ａのうち終端部２９Ｃから小径部２７Ｂに至る部位には、巻始部３Ｆを終端部２９Ｃから小径部２７Ｂに導く案内面２７Ｃが設けられている。案内面２７Ｃは、ガイド溝２９Ａを延長するように、切込部２９Ｄから小径部２７Ｂまで螺旋状に延びている。
【００４０】
切込部２９Ｄは、図５に示すように、フランジ部２９のうち終端部２９Ｃに対応する部位において、フランジ部２９の外縁から終端部２９Ｃに至る部位を除去した部位である。因みに、切込部２９Ｄは、巻始部３Ｆをフランジ部２９の外縁側からガイド溝２９Ａに装着する際に用いられる。
【００４１】
また、フランジ部２９のうち巻取リム２７側には、図４に示すように、軸方向Ｌ１と直交する方向Ｌ２に対して傾いた傾斜面２９Ｅが設けられている。この傾斜面２９Ｅは、径方向外側に向かうほど、軸方向Ｌ１の他端側に位置するドラムプレート２５から離間するように傾斜している。
【００４２】
２．本実施形態に係る充電ケーブル用収容装置の特徴
本実施形態では、図３に示すように、巻取リム２７の円周方向に沿うように延びるガイド溝２９Ａに嵌り込んだ状態で巻取側ケーブル３Ｃの巻始部３Ｆが固定されることとなる。したがって、巻取側ケーブル３Ｃの巻始部３Ｆを大きく屈曲させることなく固定することができるので、太いケーブルを巻き取るに適した充電ケーブル用収容装置１を得ることができる。
【００４３】
また、本実施形態では、ガイド溝２９Ａは、図５（ａ）に示すように、その延び方向一端側である始端部２９Ｂと他端側である終端部２９Ｃとが、軸方向Ｌ１と平行な方向にずれるように、円周方向に沿って延びていることを特徴としている。
【００４４】
これにより、本実施形態では、巻取側ケーブル３Ｃを大きく屈曲させることなく、巻取リム２７に巻取側ケーブル３Ｃを案内することができるので、太いケーブルを巻き取るに適したケーブル用収容装置を得ることができる。
【００４５】
つまり、例えば、ガイド溝２９Ａが設けられていない場合に、軸方向Ｌ１の一端側から巻取リム２７に案内された巻取側ケーブル３Ｃを巻取リム２７に巻き付けるためには、図８に示すように、巻取側ケーブル３Ｃの巻始部３Ｆを軸方向と直交する方向Ｌ２に大きく屈曲させる必要がある。
【００４６】
これに対して、本実施形態では、ガイド溝２９Ａに嵌り込んだ巻取側ケーブル３Ｃは、図７に示すように、ガイド溝２９Ａにより、漸次、軸方向と直交する方向Ｌ２に屈曲させられるので、巻取側ケーブル３Ｃを大きく屈曲させることなく巻取リム２７に案内できる。したがって、太いケーブルを巻き取るに適した充電ケーブル用収容装置１を得ることができる。
【００４７】
また、本実施形態では、巻取リム２７には、大径部２７Ａ及び小径部２７Ｂが軸方向に並んで設けられており、さらに、ガイド溝２９Ａは、小径部２７Ｂに連通していること特徴としている。
【００４８】
これにより、本実施形態では、巻取側ケーブル３Ｃを大きく屈曲させることなく、巻取側ケーブル３Ｃを小径部２７Ｂに導くことができるので、小径部２７Ｂ側からケーブルを巻き付け、次に、大径部２７Ａに巻取側ケーブル３Ｃを巻き付けていくことができる。
【００４９】
つまり、仮に、大径部２７Ａ及び小径部２７Ｂの無いフラットな巻取リム２７に巻取側ケーブル３Ｃを緻密に巻いていくためには、図８に示すように、巻取側ケーブル３Ｃの巻始部３Ｆを巻取リム２７の端部、つまりフランジ部２９に寄せた状態で巻き始める必要がある。
【００５０】
そして、巻始部３Ｆをフランジ部２９に寄せるには、巻取リム２７の外側から巻取リム２７の内側に導かれた巻取側ケーブル３Ｃを軸方向Ｌ１と直交する方向Ｌ２に大きく屈曲させる必要がある。
【００５１】
しかし、巻取側ケーブル３Ｃを軸方向Ｌ１と直交する方向Ｌ２に大きく屈曲させるには、巻取側ケーブル３Ｃの許容最小曲率半径より小さな曲率半径で巻取側ケーブル３Ｃを屈曲させる必要があるため、巻始部３Ｆを巻取リム２７の端部に寄せることは難しい。
【００５２】
そして、巻始部３Ｆが巻取リム２７の端部、つまりフランジ部２９からずれた位置にあると、図９に示すように、フランジ部２９と巻始部３Ｆとの間に隙間が生じてしまうので、２層目に巻かれた巻取側ケーブル３Ｃが当該隙間に嵌り込んでしまい、巻取側ケーブル３Ｃを緻密に巻くことができない。
【００５３】
また、フランジ部２９と巻始部３Ｆとの間に生じた隙間が小さく、巻取側ケーブル３Ｃが嵌り込まない程度の隙間であっても、隙間が生じると、１層目に巻くことが可能な巻取側ケーブル３Ｃの長さが短くなり、巻取側ケーブル３Ｃが早期に２層目に移行してしまう。
【００５４】
これに対して、本実施形態では、図７に示すように、上記の隙間に相当する部位が大径部２７Ａとなるので、実質的に隙間が生じない。また、巻取側ケーブル３Ｃを大きく屈曲させることなく、巻取側ケーブル３Ｃを小径部２７Ｂに導いているので、大径部２７Ａ及び小径部２７Ｂ間の段差部と巻取側ケーブル３Ｃとの間にも隙間が生じ難い。したがって、巻取側ケーブル３Ｃを緻密に巻くことができるとともに、１層目に巻くことが可能な巻取側ケーブル３Ｃの長さを長くすることができる。
【００５５】
なお、大径部２７Ａと小径部２７Ｂとの段差寸法を、巻取側ケーブル３Ｃの直径寸法相当とすれば、小径部２７Ｂへの巻取側ケーブル３Ｃの巻き取りが完了したときに、巻取リム２７がフラットな状態となるので、２層目以降の巻き取り作業を良好なものとすることができる。
【００５６】
また、本実施形態では、ガイド溝２９Ａは、巻取リム２７の外側からフランジ部２９を貫通して当該巻取リム２７の内側まで延びていることを特徴としている。
これにより、本実施形態では、巻取側ケーブル３Ｃを大きく屈曲させることなく、巻取リム２７の外側から巻取リム２７の内側に巻取側ケーブル３Ｃを無理なく導くことができる。
【００５７】
また、本実施形態では、図４に示すように、フランジ部２９のうち巻取リム２７側に、径方向外側に向かうほどドラムプレート２５からから離間するように傾斜した傾斜面２９Ｅが設けられていることを特徴としている。
【００５８】
これにより、本実施形態では、巻取リム２７の幅寸法Ｗｒが、径方向外側に向かうほど実質的に拡大するので、長尺な巻取側ケーブル３Ｃであっても巻き取ることができる。
さらに、巻取側ケーブル３Ｃを引き出す際に、その引き出し方向Ｄ１が軸方向Ｌ１と直交していない場合であっても、引き出される巻取側ケーブル３Ｃが傾斜面２９Ｅと摺接することにより、図１０に示すように、巻取側ケーブル３Ｃを引き出す力の一部を回転ドラム２３を回転させる力Ｆ２とすることができる。
【００５９】
したがって、巻取側ケーブル３Ｃの引き出し方向が軸方向Ｌ１と直交していない場合であっても、巻取側ケーブル３Ｃを容易に引き出すことができる。因みに、力Ｆ１は、巻取側ケーブル３Ｃと傾斜面２９Ｅとの摺接部で発生する力であって、当該摺接部と直交する方向の力である。そして、力Ｆ２は、力Ｆ１のうち回転ドラム２３を回転させる成分である。
【００６０】
そこで、本実施形態では、上記摺接部、つまり傾斜面２９Ｅの先端側を曲面として、巻取側ケーブル３Ｃが傾斜面２９Ｅに対して滑らかに摺接できるような構成としている。
なお、仮に、フランジ部２９に傾斜面２９Ｅが設けられていない場合には、巻取側ケーブル３Ｃが軸方向Ｌ１と直交していない方向に引き出されたときに、力Ｆ１の向きが軸方向Ｌ１と平行又は径方向外側に向かう向きとなる。このため、回転ドラム２３を回転させる力が発生しないため、巻取側ケーブル３Ｃを容易に引き出すことが難しい。
【００６１】
（第２実施形態）
本実施形態は、図１１及び図１２に示すように、巻取リム２７より内径側に充電制御ボックス３Ａが収納される方式の充電ケーブル用収容装置である。
【００６２】
そして、本実施形態においても、第１実施形態と同様に、ガイド溝２９Ａは、図１１〜図１３に示すように、螺旋状に延びているとともに、巻取リム２７の外側からフランジ部２９を貫通して巻取リム２７の内側に到達して小径部２７Ｂに連通している。
【００６３】
したがって、本実施形態においても、第１実施形態に係る充電ケーブル用収容装置１と同様な効果を得ることができる。
（その他の実施形態）
上述の実施形態では、充電ケーブル用の収容装置に本発明を適用したが、本発明はこれに限定されるものではなく、例えば、充電制御ボックス３Ａを有していないケーブルの収容装置にも適用できる。
【００６４】
また、上述の実施形態では、大径部２７Ａと小径部２７Ｂとを有する巻取リム２７であったが、本発明はこれに限定されるものではなく、軸方向Ｌ１において、直径が一定である巻取リム２７であってもよい。
【００６５】
また、上述の実施形態では、ガイド溝２９Ａは、巻取リム２７の外側からフランジ部２９を貫通して当該巻取リム２７の内側まで延びているたが、本発明はこれに限定されるものではなく、例えば、巻取リム２７を径方向に貫通してガイド溝２９Ａとしてもよい。
【００６６】
なお、ガイド溝２９Ａを径方向に巻取リム２７を貫通する構成とした場合には、ガイド溝２９Ａの始端部２９Ｂと終端部２９Ｃとが、軸方向Ｌ１と平行な方向にずれていなくてもよい。
【００６７】
また、上述の実施形態では、フランジ部２９に傾斜面２９Ｅを設けたが、本発明はこれに限定されるものではなく、当該傾斜面２９Ｅを廃止してもよい。
また、上述の実施形態では、ガイド溝２９Ａの溝幅Ｗが始端部２９Ｂから終端部２９Ｃまで一定であったが、本発明はこれに限定されるものではなく、始端部２９Ｂから終端部２９Ｃに至る部位のうち少なくとも一部において、溝幅Ｗが巻取側ケーブル３Ｃの直径寸法より小さければ十分である。
【００６８】
また、本発明は、特許請求の範囲に記載された発明の趣旨に合致するものであればよく、上述の実施形態に限定されるものではない。
【符号の説明】
【００６９】
１… 充電ケーブル用収容装置  ３… 充電ケーブル
３Ａ… 充電制御ボックス  ３Ｂ… 端末側ケーブル  ３Ｃ… 巻取側ケーブル
３Ｄ… 端末コネクタ  ３Ｅ… 車両側コネクタ  ３Ｆ… 巻始部
１０… ホルダ  １０Ａ… 支持部  １０Ｂ… フック部  １０Ｃ… 腕部
１０Ｄ… 突起部  １１… ホルダ側コネクタ  ２０… リール
２１… バックプレート  ２１Ａ… 凹部  ２１Ｂ… 係合部  ２１Ｃ… 係合突起部
２１Ｅ… 把持部  ２１Ｄ… 解除ボタン  ２１Ｇ… 係止フック部
２３… 回転ドラム  ２５… ドラムプレート  ２７… 巻取リム
２７Ａ… 大径部  ２７Ｂ… 小径部  ２７Ｃ… 案内面  ２９… フランジ部
２９Ａ… ガイド溝  ２９Ｂ… 始端部  ２９Ｃ… 終端部  ２９Ｄ… 切込部
２９Ｅ… 傾斜面  ３１… 固定部  ３２… リール側コネクタ
３３… ケーブル側コネクタ
【図１】
2013162610.tif 000003
【図２】
2013162610.tif 000004
【図３】
2013162610.tif 000005
【図４】
2013162610.tif 000006
【図５】
2013162610.tif 000007
【図６】
2013162610.tif 000008
【図７】
2013162610.tif 000009
【図８】
2013162610.tif 000010
【図９】
2013162610.tif 000011
【図１０】
2013162610.tif 000012
【図１１】
2013162610.tif 000013
【図１２】
2013162610.tif 000014
【図１３】
2013162610.tif 000015